(57)【特許請求の範囲】
【請求項１】
衣服の着用者の生体電気信号を検出するウェアラブル電極において、
着用者の左上半身の腹側から背側にかけての各部位の皮膚に同時に接触し得るように衣服に固定された１つ以上の第１の電極と、
着用者の右上半身の腹側から背側にかけての各部位の皮膚に同時に接触し得るように前記衣服に固定された１つ以上の第２の電極とを備え、
前記第１の電極は、着用者の左の側胸部の腹側及び左の下肋部の腹側のうち少なくとも１つの部位の皮膚と左の側胸部及び左の下肋部及び左の腋窩部のうち少なくとも１つの部位の皮膚と左の側胸部の背側及び左の肩甲部のうち少なくとも１つの部位の皮膚とに同時に接触し得るように、かつ着用者が直立の状態で腹側から背側にかけて装着位置が漸次上がるように前記衣服に固定され、
前記第２の電極は、着用者の右の側胸部の腹側及び右の下肋部の腹側のうち少なくとも１つの部位の皮膚と右の側胸部及び右の下肋部及び右の腋窩部のうち少なくとも１つの部位の皮膚と右の側胸部の背側及び右の肩甲部のうち少なくとも１つの部位の皮膚とに同時に接触し得るように、かつ着用者が直立の状態で腹側から背側にかけて装着位置が漸次上がるように前記衣服に固定されることを特徴とするウェアラブル電極。
【請求項２】
請求項１記載のウェアラブル電極において、
着用者の生体電気信号を取得する生体信号取得装置と前記第１、第２の電極とを電気的に接続する第１、第２の配線をさらに備え、
前記第１、第２の配線は、前記生体信号取得装置が前記衣服の背側に固定されるときに、着用者が直立の状態で生体信号取得装置側の端部から第１、第２の電極側の端部にかけて装着位置が漸次下がるように前記衣服に固定されることを特徴とするウェアラブル電極。
【請求項３】
請求項２記載のウェアラブル電極において、
前記第１、第２の電極及び前記第１、第２の配線は、前記衣服の後ろ身頃に固定されることを特徴とするウェアラブル電極。
【請求項４】
請求項１乃至３のいずれか１項に記載のウェアラブル電極において、
互いに分離して設けられた１つ以上の前記第１の電極と互いに分離して設けられた１つ以上の前記第２の電極とは、一部が正電極で他の一部が負電極となり、正電極および負電極として機能する電極以外の前記第１の電極または前記第２の電極は基準電極となることを特徴とするウェアラブル電極。 
【発明の詳細な説明】
【技術分野】
【０００１】
本発明は、日常的に心電波形等の生体電気信号を取得するために用いられるウェアラブル電極に関するものである。
【背景技術】
【０００２】
近年、日常的な自己の健康管理の重要性が指摘されている。このような個人の健康管理の手法の一つとして、長期間にわたって心電波形等の生体電気信号を記録し、解析することで、自律神経の乱れや心臓病の兆候を早期に発見することができ、予防医学において有効であることが知られている。長期間にわたって生体電気信号を取得するため、生体電極の取り付けられた衣類（ウェアラブル電極）が注目されている（非特許文献１参照）。
【先行技術文献】
【非特許文献】
【０００３】
【非特許文献１】David M.D.Ribeiro，et al.，“A Real time，Wearable ECG and Continous Blood Pressure Monitoring System for First Responders”，33rd Annual International Conference of the IEEE EMBS，pp.6894-6898，2011
【発明の概要】
【発明が解決しようとする課題】
【０００４】
図７Ａ〜図７Ｃは従来のウェアラブル電極を人体に装着した様子を示す模式図であり、図７Ａは人体正面図、図７Ｂは人体側面図、図７Ｃは人体背面図である。従来のウェアラブル電極においては、図７Ａ〜図７Ｃに示すように生体電極１０１，１０２を着用者１１０の心臓１００の心筋の高さ（左心室の中央ライン付近。男性では乳頭下線付近）の胸部の左右２箇所に設置することが多い。【０００５】
しかしながら、従来のウェアラブル電極では、着用者が前かがみ姿勢を取ると生体電極１０１，１０２が着用者の体から離間して生体電気信号を計測できなくなったり、生体電極１０１，１０２が着用者の体から離間しないように伸縮性のある素材で生体電極１０１，１０２を体に締め付けるため着用者に不快感を与えたりするという課題があった。【０００６】
本発明の目的は、着用者の不快感を軽減することができ、着用者が様々な姿勢をとっても生体電気信号を取得することができるウェアラブル電極を提供することにある。
【課題を解決するための手段】
【０００７】
本発明は、衣服の着用者の生体電気信号を検出するウェアラブル電極において、着用者の左上半身の腹側から背側にかけての各部位の皮膚に同時に接触し得るように衣服に固定された１つ以上の第１の電極と、着用者の右上半身の腹側から背側にかけての各部位の皮膚に同時に接触し得るように前記衣服に固定された１つ以上の第２の電極とを備え、前記第１の電極は、着用者の左の側胸部の腹側及び左の下肋部の腹側のうち少なくとも１つの部位の皮膚と左の側胸部及び左の下肋部及び左の腋窩部のうち少なくとも１つの部位の皮膚と左の側胸部の背側及び左の肩甲部のうち少なくとも１つの部位の皮膚とに同時に接触し得るように、かつ着用者が直立の状態で腹側から背側にかけて装着位置が漸次上がるように前記衣服に固定され、前記第２の電極は、着用者の右の側胸部の腹側及び右の下肋部の腹側のうち少なくとも１つの部位の皮膚と右の側胸部及び右の下肋部及び右の腋窩部のうち少なくとも１つの部位の皮膚と右の側胸部の背側及び右の肩甲部のうち少なくとも１つの部位の皮膚とに同時に接触し得るように、かつ着用者が直立の状態で腹側から背側にかけて装着位置が漸次上がるように前記衣服に固定されることを特徴とするものである。
【発明の効果】
【０００８】
本発明によれば、着用者の左上半身の腹側から背側にかけての各部位の皮膚に同時に接触し得るように衣服に固定された第１の電極と、着用者の右上半身の腹側から背側にかけての各部位の皮膚に同時に接触し得るように衣服に固定された第２の電極とを設けることにより、着用者が前かがみ等の姿勢をとっても、第１、第２の電極の各々の少なくとも一部が着用者の体と接触するため、着用者の生体電気信号を取得することができる。また、本発明では、第１、第２の電極で着用者の体を締めつける必要がないので、着用者の不快感を軽減することができる。さらに、本発明では、着用者が直立の状態で腹側から背側にかけて装着位置が漸次下がるように、あるいは着用者が直立の状態で腹側から背側にかけて装着位置が漸次上がるように第１、第２の電極を設置しているため、第１、第２の電極が着用者の胴回り方向への衣服の伸縮を阻害することを軽減でき、着用者の不快感を更に軽減することができる。
【図面の簡単な説明】
【０００９】
【図１Ａ−１Ｃ】図１Ａ−図１Ｃは、本発明の第１の実施例に係るウェアラブル電極を人体に装着した様子を示す模式図である。
【図２】図２は、本発明の第１の実施例に係るウェアラブル電極と従来のウェアラブル電極において心拍を計測するのに必要な胸部の単位幅あたりの張力を示す図である。
【図３】図３は、本発明の第１の実施例に係るウェアラブル電極の装着例を説明する図である。
【図４】図４は、本発明の第１の実施例に係るウェアラブル電極と電極を水平配置したウェアラブル電極において心拍を計測するのに必要な胸部の単位幅あたりの張力を示す図である。
【図５】図５は、電極を水平配置したウェアラブル電極を説明する図である。
【図６Ａ−６Ｃ】図６Ａ−図６Ｃは、本発明の第２の実施例に係るウェアラブル電極を人体に装着した様子を示す模式図である。
【図７Ａ−７Ｃ】図７Ａ−図７Ｃは、従来のウェアラブル電極を人体に装着した様子を示す模式図である。
【発明を実施するための形態】
【００１０】
以下、好適な実施例について参照して本発明を説明するが、本発明はかかる実施例に限定されない。
【００１１】
［第１の実施例］
図１Ａ〜図１Ｃは本発明の第１の実施例に係るウェアラブル電極を人体に装着した様子を示す模式図であり、図１Ａは人体正面図、図１Ｂは人体側面図、図１Ｃは人体背面図である。本実施例のウェアラブル電極は、図１Ａ〜図１Ｃに示すように、衣服２１と、衣服２１の着用者２０（生体）の左の乳房部２１０の皮膚と左の側胸部及び左の下肋部及び左の腋窩部のうち少なくとも１つの部位（図１Ａの２１１）の皮膚と左の側胸部の背側及び左の下肋部の背側及び左の肩甲下部のうち少なくとも１つの部位（図１Ｃの２１２）の皮膚とに同時に接触し得るように、かつ着用者２０が直立の状態で腹側から背側にかけて装着位置が漸次下がるように衣服２１の裏面（着用者２０の皮膚と接触する面）に固定された１つ以上の帯状の電極２０３と、衣服２１の着用者２０の右の乳房部２１３の皮膚と右の側胸部及び右の下肋部及び右の腋窩部のうち少なくとも１つの部位（図１Ａの２１４）の皮膚と右の側胸部の背側及び右の下肋部の背側及び右の肩甲下部のうち少なくとも１つの部位（図１Ｃの２１５）の皮膚とに同時に接触し得るように、かつ着用者２０が直立の状態で腹側から背側にかけて装着位置が漸次下がるように衣服２１の裏面に固定された１つ以上の帯状の電極２０４とから構成される。図１Ａ〜図１Ｃにおける２００は着用者２０の心臓である。
【００１２】
なお、腋窩部はいわゆる脇の下の領域を意味し、側胸部は腋窩部よりも下方の領域を意味し、下肋部は側胸部よりも更に下方の領域を意味する。また、肩甲下部は肩甲骨がある肩甲部の下の領域を意味する。人体の各部の名称については、例えば参考文献「橋本 尚詞，“看護学入門  １  人体のしくみと働き”，ｐｐ．３−８，２０１３年」に開示されている。
【００１３】
電極２０３，電極２０４は、それぞれ配線２３１，２３２を介して生体信号取得装置２３３と接続される。１つ以上の電極２０３と１つ以上の電極２０４のうち、一部は正電極であり、残りは負電極である。
【００１４】
電極２０３，２０４の素材は特に限定されず、カーボンフィラー混合樹脂、Ａｇ布、導電性高分子含浸布帛、電解液を染み込ませた布帛等を制限なく用いることができる。好ましくは導電性高分子含浸布帛であれば、密着する皮膚への刺激が少なく、かつ耐久性が良好である。また、電極２０３，２０４の大きさについては、図１Ａ〜図１Ｃを用いて説明した配置条件を満たす大きさであれば特に限定されない。
【００１５】
なお、生体電気信号受信の際にしばしば用いられる基準電位については、上記の正電極及び負電極と接触しないように別途、基準電極を衣服２１に設け、配線を介してこの基準電極を生体信号取得装置２３３と接続することによって得てもよい。この場合には、互いに分離して設けられた１つ以上の電極２０３と互いに分離して設けられた１つ以上の電極２０４とは、一部が正電極で他の一部が負電極となり、正電極及び負電極として機能する電極以外の電極２０３または電極２０４が基準電極となる。
また、正電極と負電極が受信する信号から求めた中間電位を基準電位としてもよいし、生体信号取得装置２３３の回路のＧＮＤ電位を基準電位としてもよい。
【００１６】
衣服２１は、電極２０３，２０４を設置できるものであれば特に限定されず、図１Ａ〜図１Ｃに示したシャツ型の他、腹巻き型やベルト型、コルセット型等の形態をとることができる。
衣服２１が図１Ａ〜図１Ｃのようなシャツ型である場合，首下から肩も含む身体を包む着用になるため、電極２０３，２０４はより適正な位置に配置、維持される。
【００１７】
電極２０３，２０４は、衣服２１の前身頃２２の裏面に配置される。電極２０３，２０４がそれぞれ着用者２０の体表面の半周近くを回るように腹側から背側まで伸びているため、前身頃２２は、電極２０３，２０４の背側先端が収まるように、脇下から腹部にかけての部位が衣服２１のアームホールの中心２６よりも背側に延伸されている。このため、前身頃２２と縫い合わされる衣服２１の後ろ身頃２３は、前身頃２２の延伸に応じて、脇下から腹部にかけての部位がアームホールの中心２６よりも着用者２０の後正中線の方向に減縮し、この部位の幅Ｗ２が身幅Ｗ１よりも細くなっている。したがって、前身頃２２と後ろ身頃２３の縫い合わせ線２４，２５は、着用者２０の体側面重心線よりも背中側に配置される。
【００１８】
衣服２１の素材は通常の衣料品で用いられる綿、羊毛等の天然繊維素材、ポリエステル、ナイロン等の合成繊維素材を何ら制限なく用いることができるが、本発明はかかる衣服２１の形状や素材に限定されるものではない。
【００１９】
電極２０３，２０４の衣服２１への固定方法としては、例えば電極２０３，２０４を衣服２１に縫い付ける方法、電極２０３，２０４を衣服２１に接着する方法、電極２０３，２０４を衣服２１に含浸させる方法などがある。この中では、特に接着する方法が容易である。また、衣服２１の縫製前に、衣服２１の前身頃２２または後ろ身頃２３に電極２０３，２０４をアイロンや加熱プレスマシンで熱圧着し、その後、前身頃２２と後ろ身頃２３を縫製してもよい。
【００２０】
配線２３１，２３２としては、公知の配線素材を制限なく用いることができるが、着用者２０の動きによって変形する衣服２１上に設置されるため、配線素材自体に伸縮性があるもの（例えば、導電性ゴム）や、バネのように伸縮性のある構造・レイアウトをしているものがより望ましい。
【００２１】
また、配線２３１，２３２は、電極設置部位以外の人体等からの信号を取得しないよう、絶縁体で被覆されていることが望ましい。この配線２３１，２３２は、それぞれ電極２０３，２０４と同様に、着用者２０が直立の状態で生体信号取得装置２３３側の端部から電極２０３，２０４側の端部にかけて装着位置が漸次下がるように、衣服２１の前身頃２２に固定されている。配線２３１，２３２の衣服２１への固定方法としては、例えば配線２３１，２３２を衣服２１に縫い付ける方法、配線２３１，２３２を衣服２１に接着する方法などがある。
【００２２】
本実施例では、電極２０３，２０４及び配線２３１，２３２を衣服２１の前身頃２２に固定することにより、電極２０３，２０４が縫い合わせ線２４，２５を跨ぐことがない。その結果、立体的な体の構造に衣服２１がフィットして、電極２０３，２０４がずれにくいという利点がある。また、衣服２１の縫製前に電極２０３，２０４及び配線２３１，２３２を前身頃２２に設置できるため、縫製工程が容易となる。
【００２３】
生体信号取得装置２３３は、電極２０３，２０４で検出した生体電気信号（本実施例では心電波形）を取得して処理する。生体信号取得装置２３３としては、心電波形を取得しＲ波を検出する公知の装置を特に限定なく用いることができる。生体信号取得装置２３３は、心電波形から心拍を検出する機能、各種の表示機能、取得した生体電気信号や心拍の情報を外部へ無線送信する機能などを備えていてもよい。また、生体信号取得装置２３３は、衣服２１の裏面あるいは表面（着用者２０の皮膚と接触する面と反対側の面）のどちらに固定されていてもよい。
【００２４】
ただし、本実施例の場合、上記のとおり、着用者２０が直立の状態で配線２３１，２３２の生体信号取得装置２３３側の端部の位置に対して配線２３１，２３２の電極２０３，２０４側の端部の位置が斜め下になるようにする必要があるので、このような配線２３１，２３２の配置が実現できるように生体信号取得装置２３３の位置を決める必要がある。
【００２５】
図２に、着用者の心臓の高さの胸部の左右２箇所に電極を設置する従来のウェアラブル電極（図７）と、本実施例のウェアラブル電極とを同一の着用者が順番に着用し、時速４ｋｍで歩行した際に、心拍を計測するのに必要な胸部の張力を計測した結果を示す。ここでは、心拍の正常な計測に成功したときの、胴回り方向の単位幅（１ｃｍ）あたりの張力のうちの最低値を計測結果としている。また、本実施例のウェアラブル電極については、図３に示すように、着用者２０が直立の状態で水平面２７と電極２０３，２０４とのなす角θを３０°とした。
【００２６】
図２の３００は従来のウェアラブル電極を用いた場合に心拍の計測に必要な張力を示し、３０１は本実施例のウェアラブル電極を用いた場合に心拍の計測に必要な張力を示している。図２によれば、本実施例では、従来のウェアラブル電極に比べ心拍を計測するのに必要な胸部の張力が低減するので、着用者の不快感を軽減できることが分かる。
【００２７】
図４に、衣服２１に電極２０３，２０４を水平配置したウェアラブル電極と、本実施例のウェアラブル電極とを同一の着用者が順番に着用した場合の胸部の張力を計測した結果を示す。ここでは、電極２０３，２０４が配置された胸部の胴回り方向の寸法を２０％延伸した際の胴回り方向の単位幅（１ｃｍ）あたりの張力を計測結果としている。本実施例のウェアラブル電極については、図３に示したように、着用者２０が直立の状態で水平面２７と電極２０３，２０４とのなす角θを３０°とした。また、電極２０３，２０４を水平配置したウェアラブル電極とは、図５に示すように、着用者２０が直立の状態で水平面２７と電極２０３，２０４の延伸方向とが平行（θが０°）な電極のことを言う。
【００２８】
図４の４００は電極２０３，２０４を水平配置したウェアラブル電極を用いた場合の張力を示し、４０１は本実施例のウェアラブル電極を用いた場合の張力を示している。
図４によれば、本実施例では、電極２０３，２０４を斜めに設置することで、電極２０３，２０４を水平配置したウェアラブル電極に比べ胸部の張力を低減することができ、着用者の不快感を軽減できることが分かる。
【００２９】
こうして、本実施例では、着用者の左上半身の腹側から背側にかけての各部位の皮膚に同時に接触し得るように電極２０３を設け、着用者の右上半身の腹側から背側にかけての各部位の皮膚に同時に接触し得るように電極２０４を設けることにより、着用者が前かがみ等の姿勢をとっても、電極２０３，２０４の各々の少なくとも一部が着用者の体と接触するため、着用者の生体電気信号を取得することができる。また、本実施例では、電極２０３，２０４で着用者の体を締めつけるような構造を採用していないため、着用者の不快感を軽減することができる。さらに、着用者が直立の状態で電極２０３，２０４及び配線２３１，２３２を水平面に対し斜めになるように設置しているため，電極２０３，２０４及び配線２３１，２３２に衣服２１の素材よりも伸縮性の小さい素材を用いたとしても、電極２０３，２０４及び配線２３１，２３２が着用者の胴回り方向への衣服２１の伸縮を阻害することを軽減でき、着用者の不快感を軽減することができる。
【００３０】
［第２の実施例］
次に、本発明の第２の実施例について説明する。図６Ａ〜図６Ｃは本発明の第２の実施例に係るウェアラブル電極を人体に装着した様子を示す模式図であり、図６Ａは人体正面図、図６Ｂは人体側面図、図６Ｃは人体背面図である。本実施例のウェアラブル電極は、図６Ａ〜図６Ｃに示すように、衣服２１ａと、衣服２１ａの着用者２０の左の側胸部の腹側及び左の下肋部の腹側のうち少なくとも１つの部位の皮膚と左の側胸部及び左の下肋部及び左の腋窩部のうち少なくとも１つの部位（図６Ａの２１１）の皮膚と左の側胸部の背側及び左の肩甲部のうち少なくとも１つの部位（図６Ｃの２１６）の皮膚とに同時に接触し得るように、かつ着用者２０が直立の状態で腹側から背側にかけて装着位置が漸次上がるように衣服２１ａの裏面に固定された１つ以上の帯状の電極２０３ａと、衣服２１ａの着用者２０の右の側胸部の腹側及び右の下肋部の腹側のうち少なくとも１つの部位の皮膚と右の側胸部及び右の下肋部及び右の腋窩部のうち少なくとも１つの部位（図６Ａの２１４）の皮膚と右の側胸部の背側及び右の肩甲部のうち少なくとも１つの部位（図６Ｃの２１７）の皮膚とに同時に接触し得るように、かつ着用者２０が直立の状態で腹側から背側にかけて装着位置が漸次上がるように衣服２１ａの裏面に固定された１つ以上の帯状の電極２０４ａとから構成される。
【００３１】
電極２０３ａ，電極２０４ａは、それぞれ配線２３１ａ，２３２ａを介して生体信号取得装置２３３と接続される。基準電極を設ける場合には、第１の実施例と同様に、正電極および負電極として機能する電極２０３ａ，２０４ａ以外の別の電極２０３ａまたは２０４ａを基準電極とすればよい。
【００３２】
電極２０３ａ，２０４ａは、第１の実施例の電極２０３，２０４と同様の素材からなるものであるが、衣服２１ａの後ろ身頃２３ａの裏面に配置される。本実施例では、電極２０３ａ，２０４ａがそれぞれ着用者２０の体表面の半周近くを回るように背側から腹側まで伸びているため、後ろ身頃２３ａは、電極２０３ａ，２０４ａの腹側先端が収まるように、脇下から腹部にかけての部位が衣服２１ａのアームホールの中心２６よりも腹側に延伸されている。このため、後ろ身頃２３ａと縫い合わされる衣服２１ａの前身頃２２ａは、後ろ身頃２３ａの延伸に応じて、脇下から腹部にかけての部位がアームホールの中心２６よりも着用者２０の前正中線方向に減縮し、この部位の幅Ｗ３が身幅Ｗ１よりも細くなっている。したがって、前身頃２２ａと後ろ身頃２３ａの縫い合わせ線２４ａ，２５ａは、着用者２０の体側面重心線よりも腹側に配置される。
【００３３】
配線２３１ａ，２３２ａは、それぞれ電極２０３ａ，２０４ａと同様に、着用者２０が直立の状態で生体信号取得装置２３３側の端部から電極２０３ａ，２０４ａ側の端部にかけて装着位置が漸次下がるように、衣服２１ａの後ろ身頃２３ａに固定されている。
【００３４】
本実施例では、電極２０３ａ，２０４ａ及び配線２３１ａ，２３２ａを衣服２１ａの後ろ身頃２３ａに固定することにより、電極２０３ａ，２０４ａが縫い合わせ線２４ａ，２５ａを跨ぐことがない。その結果、立体的な体の構造に衣服２１ａがフィットして、電極２０３ａ，２０４ａがずれにくいという利点がある。また、衣服２１ａの縫製前に電極２０３ａ，２０４ａ及び配線２３１ａ，２３２ａを後ろ身頃２３ａに設置できるため、縫製工程が容易となる。また、本実施例の場合、腹側に配線２３１，２３２や生体信号取得装置２３３を設ける必要がないので、衣服２１ａを前開きにすることができ、着脱を容易にすることができるという利点がある。
【００３５】
第１の実施例及び本実施例において、前身頃２２、あるいは後ろ身頃２３ａに電極２０３，２０３ａ，２０４，２０４ａ及び配線２３１，２３１ａ，２３２，２３２ａを固定する方法は、特に限定されず、任意の方法を取ることができる。特に、熱圧着による固定を行う場合、第１の実施例及び本実施例のように、電極２０３，２０３ａ，２０４，２０４ａ及び配線２３１，２３１ａ，２３２，２３２ａが縫い合わせ部分を跨がることがないと、圧着面がフラットであるため、熱圧着に通常用いられる加熱プレス機の平板上に、圧着の必要な部材を配した縫製前の身頃を設置することができる。その結果、衣服２１，２１ａの作成が容易であるだけでなく、電極２０３，２０３ａ，２０４，２０４ａ及び配線２３１，２３１ａ，２３２，２３２ａの接着が、全面ムラ無く行うことができるため、接着の耐久性も向上するという利点を有する。
【００３６】
生体信号取得装置２３３の機能は第１の実施例で説明したとおりであるが、本実施例の場合、着用者２０が直立の状態で配線２３１ａ，２３２ａの生体信号取得装置２３３側の端部の位置に対して配線２３１ａ，２３２ａの電極２０３ａ，２０４ａ側の端部の位置が斜め下になるようにする必要があるので、このような配線２３１ａ，２３２ａの配置が実現できるように生体信号取得装置２３３の位置を決める必要がある。
【００３７】
その他の構成は第１の実施例で説明したとおりである。こうして、本実施例では、第１の実施例と同様の効果を得ることができる。
【００３８】
なお、第１、第２の実施例では、衣服に固定しない状態で平らに延ばしたときに平面視略長方形となる電極形状を採用しているが、これに限るものではなく、平らに延ばしたときに平面視略楕円形となる電極形状を採用してもよい。
また、生体信号取得装置２３３は、衣服２１，２１ａに着脱自在に取り付けられる構造であってもよい。この場合には、生体信号取得装置２３３と配線２３１，２３１ａ，２３２，２３２ａとの間はコネクタを介して電気的に接続される。
【産業上の利用可能性】
【００３９】
本発明は、生体電気信号を取得する技術に適用することができる。
【符号の説明】
【００４０】
２０…着用者、２１，２１ａ…衣服、２２，２２ａ…衣服の前身頃、２３，２３ａ…衣服の後ろ身頃、２４，２４ａ，２５，２５ａ…前後身頃の縫い合わせ線、２６…アームホールの中心、２００…心臓、２０３，２０３ａ，２０４，２０４ａ…電極、２１０…左の乳房部、２１１…左の側胸部及び左の下肋部及び左の腋窩部のうち少なくとも１つの部位、２１２…左の側胸部の背側及び左の下肋部の背側及び左の肩甲下部のうち少なくとも１つの部位、２１３…右の乳房部、２１４…右の側胸部及び右の下肋部及び右の腋窩部のうち少なくとも１つの部位、２１５…右の側胸部の背側及び右の下肋部の背側及び右の肩甲下部のうち少なくとも１つの部位、２１６…左の側胸部の背側及び左の肩甲部のうち少なくとも１つの部位、２１７…右の側胸部の背側及び右の肩甲部のうち少なくとも１つの部位、２３１，２３１ａ，２３２，２３２ａ…配線、２３３…生体信号取得装置。
【図１Ａ−１Ｃ】
0006754442.tif 000002
【図２】
0006754442.tif 000003
【図３】
0006754442.tif 000004
【図４】
0006754442.tif 000005
【図５】
0006754442.tif 000006
【図６Ａ−６Ｃ】
0006754442.tif 000007
【図７Ａ−７Ｃ】
0006754442.tif 000008